(57)【要約】【課題】非充電時に給電側端子ピンを外部衝撃等から保護する。【解決手段】マイクロホンのグリップ部の底面に設けられている充電端子に接触する給電側端子ピン２１を有する充電器において、グリップ部が差し込まれる差込孔１３を有する筐体を備え、筐体内には、差込孔１３の下方で給電側端子ピン２１を差込孔１３内に臨むように支持するピン支持台２０と、給電側端子ピン２１が挿通されるピン挿通孔を有しピン支持台２０の上方で差込孔１３に沿って昇降可能に配置されるピン保護部品３０と、ピン保護部品を上昇位置と下降位置とに案内する昇降案内手段４０とが設けられており、昇降案内手段４０は、差込孔１３からグリップ部が外されている非充電時には、給電側端子ピン２１がピン挿通孔内に埋没するようにピン保護部品３０を上昇位置に移動させ、差込孔１３内にグリップ部が差し込まれる充電時には給電側端子ピン２１の先端がピン挿通孔から突出するようにピン保護部品３０を下降位置に移動可能とする。【選択図】図５
2019071741.tif 000002
【特許請求の範囲】
【請求項１】
マイクロホンのグリップ部の底面に設けられている充電端子に接触する給電側端子ピンを有し、上記給電側端子ピンより上記充電端子を介して上記マイクロホンに内蔵されている二次電池を充電するマイクロホン用充電器において、
上面に上記グリップ部の下端部が差し込まれる差込孔を有する筐体を備え、
上記筐体内には、
上記差込孔の下方の所定位置で上記給電側端子ピンを上記差込孔内に臨むように支持するピン支持台と、
上記給電側端子ピンが挿通されるピン挿通孔を有し上記ピン支持台の上方で上記差込孔に沿って昇降可能に配置されるピン保護部品と、
上記ピン保護部品を上昇位置と下降位置とに案内する昇降案内手段とが設けられており、
上記昇降案内手段は、
上記差込孔から上記グリップ部が外されている非充電時には、上記給電側端子ピンが上記ピン挿通孔内に埋没するように上記ピン保護部品を上昇位置に移動させて同位置に拘束し、
上記差込孔内に上記グリップ部が差し込まれる充電時には、上記グリップ部により上記上昇位置での拘束が解かれて上記給電側端子ピンの先端が上記ピン挿通孔から突出するように上記ピン保護部品を下降位置に移動可能とすることを特徴とするマイクロホン用充電器。
【請求項２】
上記昇降案内手段は、上端にほぼ水平な回転軸を有するとともに、下端に上記ピン保護部品を昇降させる第１傾斜面を有する脚部を備え、上記差込孔の外側で上記筐体内の所定部位に上記回転軸を介して上記脚部が上記ピン保護部品に接近・離反するように回転可能に取り付けられるガイドアームと、
上記ガイドアームを上記脚部が上記ピン保護部品側に接近する方向に付勢する付勢手段とを備え、
上記ガイドアームには、上記差込孔に出没可能で上記差込孔内に差し込まれる上記グリップ部によって没する方向に押し戻され上記ピン保護部品を下降位置に移動可能とする突起が設けられていることを特徴とする請求項１に記載のマイクロホン用充電器。
【請求項３】
上記第１傾斜面は上記差込孔の上方から見て順テーパ方向となる下り勾配で、上記ピン保護部品は上記第１傾斜面上を摺動するフランジを有し、上記下り勾配の上端には上記フランジが乗り上がる水平面が連設されていることを特徴とする請求項１または２に記載のマイクロホン用充電器。
【請求項４】
上記突起は、その先端部に上記グリップ部の上記差込孔内への差し込み方向に対して順テーパ方向となる第２傾斜面を備えていることを特徴とする請求項２または３に記載のマイクロホン用充電器。
【請求項５】
上記付勢手段は、上記回転軸に嵌装されるコイル部分を有し、上記コイル部分から引き出された一端が上記筐体内の所定部位に係止され、上記コイル部分から引き出された他端が上記脚部側に係止されるトーションばねであることを特徴とする請求項２ないし４のいずれか１項に記載のマイクロホン用充電器。
【請求項６】
上記昇降案内手段を左右一対として備えることを特徴とする請求項２ないし５のいずれか１項に記載のマイクロホン用充電器。
【請求項７】
上記ピン保護部品は上記グリップ部の一部分が挿通される案内孔を有し、上記グリップ部の外形と上記案内孔の孔形は、上記充電端子と上記給電側端子ピンとが対向する上記グリップ部の特定回転位置でのみ合致する形状であり、上記特定回転位置でのみ上記グリップ部の一部分がが上記突起に当接する位置にまで上記差込孔内に差し込み可能であることを特徴とする請求項２ないし６のいずれか１項に記載のマイクロホン用充電器。
【発明の詳細な説明】
【技術分野】
【０００１】
本発明は、マイクロホン用充電器に関し、さらに詳しく言えば、非充電時に給電側端子ピンを外部衝撃等から保護するとともに、マイク側の充電端子を正しい位置で給電側端子ピンに接触させる技術に関するものである。
【背景技術】
【０００２】
図８にワイヤレスマイクロホンの一例を示す。このワイヤレスマイクロホン１００は、手で把持される円筒状のグリップ部１１０を有するハンドヘルド型で、グリップ部１１０の一端（先端）１１１にマイクロホンユニット１２０を備え、グリップ部１１０の他端（下端）１１２側には送信部１３０が設けられている。図示しないが、グリップ部１１０内には、音声信号出力回路等とともに二次電池が内蔵されている。
【０００３】
図９（ａ）に示すように、送信部１３０には送信アンテナ１３１が含まれている。送信アンテナ１３１は、グリップ部１１０を把持した手で覆われないように、好ましくはグリップ部１１０の他端１１２の底面１１３側に設けられる。
【０００４】
この例において、送信アンテナ１３１は、電気絶縁性の細長い支柱１３１ａにコイル線１３１ｂを巻き付けることにより形成されている。図９（ｂ）に示すように、グリップ部１１０の底面１１３には、送信アンテナ１３１を覆うアンテナカバー１３２が設けられている。この例において、アンテナカバー１３２は、対向する２面がほぼ平坦でグリップ部１１０の底面１１３から突出する舌片状に形成されている。
【０００５】
ワイヤレスマイクロホン１００は、二次電池を内蔵したままの状態で充電するための充電端子（＋側充電端子と−側充電端子の対）を備えているが、図９（ａ），（ｂ）に示すように、それら＋側と−側の充電端子１４１，１４２は、グリップ部１１０の底面１１３内でアンテナカバー１３２の脇に配置されている。
【０００６】
また、この例において、グリップ部１１０の底面１１３には、充電端子１４１，１４２の他に、電池コモン電極端子１４３と、送信部１３０のＯＮ／ＯＦＦ制御端子１４４とが設けられている。なお、これら端子１４１，１４２，１４３，１４４を区別する必要がない場合には、総称としてマイク側端子１４０ということがある。
【０００７】
内蔵電池（二次電池）の残量が所定レベル以下となると充電することになるが、従来のワイヤレスマイクロホン用充電器の多くは、グリップ部の下端が差し込まれる凹部を有し、その凹部内にマイク側の充電端子に対応する給電側端子ピンが設けられているスタンド型である（例えば、特許文献１参照）。
【０００８】
しかしながら、給電側端子ピンはバネによって伸縮するピンを含めて、常時、凹部の底面から突出するように立設されているため、例えばグリップ部を凹部内に投げ込む等の乱雑な扱いにより強い外部衝撃を受けると、曲がりや折損が生ずるおそれがある。
【０００９】
また、上記のワイヤレスマイクロホン１００ように、グリップ部１１０の底面１１３にアンテナカバー１３２が設けられている機種では、そのアンテナカバー１３２が邪魔となってマイク側の充電端子を給電側端子ピンに接触させることができないことも想定される。
【先行技術文献】
【特許文献】
【００１０】
【特許文献１】特開平８−１６３７８４号公報
【発明の概要】
【発明が解決しようとする課題】
【００１１】
そこで、本発明の課題は、マイクロホン用充電器において、非充電時に給電側端子ピンを外部衝撃等から保護するとともに、マイク側の充電端子を正しい位置でのみ給電側端子ピンに接触させることができるようにすることにある。
【課題を解決するための手段】
【００１２】
上記課題を解決するため、請求項１に係る発明は、マイクロホンのグリップ部の底面に設けられている充電端子に接触する給電側端子ピンを有し、上記給電側端子ピンより上記充電端子を介して上記マイクロホンに内蔵されている二次電池を充電するマイクロホン用充電器において、
上面に上記グリップ部の下端部が差し込まれる差込孔を有する筐体を備え、
上記筐体内には、
上記差込孔の下方の所定位置で上記給電側端子ピンを上記差込孔内に臨むように支持するピン支持台と、
上記給電側端子ピンが挿通されるピン挿通孔を有し上記ピン支持台の上方で上記差込孔に沿って昇降可能に配置されるピン保護部品と、
上記ピン保護部品を上昇位置と下降位置とに案内する昇降案内手段とが設けられており、
上記昇降案内手段は、
上記差込孔から上記グリップ部が外されている非充電時には、上記給電側端子ピンが上記ピン挿通孔内に埋没するように上記ピン保護部品を上昇位置に移動させて同位置に拘束し、
上記差込孔内に上記グリップ部が差し込まれる充電時には、上記グリップ部により上記上昇位置での拘束が解かれて上記給電側端子ピンの先端が上記ピン挿通孔から突出するように上記ピン保護部品を下降位置に移動可能とすることを特徴としている。
【００１３】
請求項２に係る発明は、請求項１において、上記昇降案内手段は、上端にほぼ水平な回転軸を有するとともに、下端に上記ピン保護部品を昇降させる第１傾斜面を有する脚部を備え、上記差込孔の外側で上記筐体内の所定部位に上記回転軸を介して上記脚部が上記ピン保護部品に接近・離反するように回転可能に取り付けられるガイドアームと、上記ガイドアームを上記脚部が上記ピン保護部品側に接近する方向に付勢する付勢手段とを備え、
上記ガイドアームには、上記差込孔に出没可能で上記差込孔内に差し込まれる上記グリップ部によって没する方向に押し戻され上記ピン保護部品を下降位置に移動可能とする突起が設けられていることを特徴としている。
【００１４】
請求項３に係る発明は、請求項１または２において、上記第１傾斜面は上記差込孔の上方から見て順テーパ方向となる下り勾配で、上記ピン保護部品は上記第１傾斜面上を摺動するフランジを有し、上記下り勾配の上端には上記フランジが乗り上がる水平面が連設されていることを特徴としている。
【００１５】
請求項４に係る発明は、請求項２または３において、上記突起は、その先端部に上記グリップ部の上記差込孔内への差し込み方向に対して順テーパ方向となる第２傾斜面を備えていることを特徴としている。
【００１６】
請求項５に係る発明は、請求項２ないし４のいずれか１項において、上記付勢手段は、上記回転軸に嵌装されるコイル部分を有し、上記コイル部分から引き出された一端が上記筐体内の所定部位に係止され、上記コイル部分から引き出された他端が上記脚部側に係止されるトーションばねであることを特徴としている。
【００１７】
請求項６に係る発明は、請求項２ないし５のいずれか１項において、上記昇降案内手段を左右一対として備えることを特徴としている。
【００１８】
請求項７に係る発明は、請求項２ないし５のいずれか１項において、上記ピン保護部品は上記グリップ部の一部分が挿通される案内孔を有し、上記グリップ部の外形と上記案内孔の孔形は、上記充電端子と上記給電側端子ピンとが対向する上記グリップ部の特定回転位置でのみ合致する形状であり、上記特定回転位置でのみ上記グリップ部の一部分がが上記突起に当接する位置にまで上記差込孔内に差し込み可能であることを特徴としている。
【発明の効果】
【００１９】
本発明によれば、マイクロホンのグリップ部が差込孔から外されている非充電時には、ピン保護部品が上昇位置に拘束（ロック）され、給電側端子ピンがピン保護部品のピン挿通孔内に埋没しており、マイクロホンのグリップ部が差込孔内に差し込まれる充電時には、グリップ部の差し込みによってピン保護部品の拘束が解かれてピン保護部品が下降し、給電側端子ピンの先端がピン挿通孔から突出するようにしたことにより、給電側端子ピンを外部衝撃等から保護することができる。
【００２０】
また、本発明の充電器は、グリップ部の底面に充電端子を備えているマイクロホンに適用可能であり、ピン保護部品はグリップ部の一部分が挿通される案内孔を有し、グリップ部の外形と案内孔の孔形は、充電端子と給電側端子ピンとが対向するグリップ部の特定回転位置でのみ合致する形状で、その特定回転位置でのみグリップ部の一部分を差込孔内に差し込み可能であることから、マイク側の充電端子を正しい位置でのみ給電側端子ピンに接触させることができる。
【図面の簡単な説明】
【００２１】
【図１】本発明の実施形態に係る充電器を示す外観斜視図。
【図２】上記充電器でワイヤレスマイクロホンを充電する状態を示す外観斜視図。
【図３】上記充電器の要部を示す図１のＡ−Ａ線に沿った概略的な断面図。
【図４】上記充電器の要部を示す分解斜視図。
【図５】上記充電器で非充電時にピン保護部品が上昇位置にある状態を示す模式図。
【図６】（ａ）上記充電器で充電時にピン保護部品がグリップにより押し下げられた状態を示す模式図、（ｂ）そのときの給電側端子ピンの突出状態を示す模式図。
【図７】ピン保護部品の案内孔と送信部の特定回転位置でのみ合致する形状の（ａ）第１例を示す模式図、（ｂ）第２例を示す模式図。
【図８】グリップの底面に送信部を有するワイヤレスマイクロホンを示す外観斜視図。
【図９】（ａ）上記送信部に設けられている送信アンテナを示す斜視図、（ｂ）送信アンテナをアンテナカバーで覆った状態を示す斜視図。
【発明を実施するための形態】
【００２２】
次に、図１ないし図９により、本発明の実施形態について説明するが、本発明はこれに限定されるものではない。
【００２３】
なお、この実施形態に係る充電器で充電しようとするマイクロホンは、先の図８，図９で説明したグリップ部１１０の底面に、送信部１３０とマイク側端子１４０とが設けられているワイヤレスマイクロホン１００である。送信部１３０の送信形態は、電波の他に赤外線であってもよい。
【００２４】
まず、図１ないし図３を参照して、この実施形態に係る充電器１は、箱形の筐体１０を備えている。筐体１０は、ボトム側の下箱部１１と、下箱部１１に被せられる上箱部１２との組合せからなる。
【００２５】
上箱部１２の上面には、ワイヤレスマイクロホン１００のグリップ部１１０の下端側が差し込まれる差込孔１３が、この実施形態では２箇所に設けられている。差込孔１３は、１箇所でもよいし、３箇所以上であってもよい。
【００２６】
図４，図５を併せて参照して、筐体１０内には、ピン支持台２０と、ピン保護部品３０と、ピン保護部品３０を上昇位置と下降位置とに案内する昇降案内手段４０と、昇降案内手段４０を支持する支持フレーム５０とが設けられている。
【００２７】
ピン支持台２０には、先に説明した上記マイク側端子１４０のうちの充電端子１４１，１４２に対応する給電側端子ピン２１１，２１２、電池コモン電極端子１４３に対応する給電側コモン端子ピン２１３、送信部１３０のＯＮ／ＯＦＦ制御端子１４４に対応するＯＮ／ＯＦＦ制御端子ピン２１４の４本の端子ピンが設けられる。
【００２８】
これら４本の端子ピン２１１，２１２，２１３，２１４を区別する必要がない場合には、総称として給電側端子ピン２１と言う。この実施形態において、各給電側端子ピン２１は、マイク側端子１４０に対して弾性的に当接するように、下部に圧縮バネ２３が取り付けられた状態でピン支持台２０にほぼ垂直に立設される。
【００２９】
ピン支持台２０は、その中央部分にピン保護部品３０の後述する第２筒部３０２が嵌合する開口部２４を備えている。また、開口部２４の上縁にはフランジ２５が形成されている。ピン支持台２０は、差込孔１３の下方の所定位置で給電側端子ピン２１が差込孔１３内に臨むように、フランジ２５を介して下箱部１１にネジ等により固定される。
【００３０】
ピン保護部品３０は、上部の第１筒部３０１と下部の第２筒部３０２とを一体に備えている。第１筒部３０１と第２筒部３０２は同軸で、ワイヤレスマイクロホン１００のアンテナカバー１３２が挿通される案内孔３２が第１筒部３０１と第２筒部３０２を貫通している。
【００３１】
第２筒部３０２は、ピン支持台２０の開口部２４に嵌合可能であるが、第１筒部３０１は、第２筒部３０２よりも肉厚な筒体で、ピン支持台２０の開口部２４内に入り込み得ない。第１筒部３０１と第２筒部３０２との境には、フランジ３３が一体として形成されている。
【００３２】
第１筒部３０１は、給電側端子ピン２１のうちの給電側端子ピン２１１，２１２が挿通される第１および第２のピン挿通孔３１１，３１２、給電側コモン端子ピン２１３が挿通される第３のピン挿通孔３１３、ＯＮ／ＯＦＦ制御端子ピン２１４が挿通される第４のピン挿通孔３１４の４つのピン挿通孔を備えている。
【００３３】
これらピン挿通孔３１１，３１２，３１３，３１４を区別する必要がない場合には、総称としてピン挿通孔３１と言う。ピン保護部品３０は、各ピン挿通孔３１に給電側端子ピン２１が挿通された状態で、ピン支持台２０の上方で差込孔１３に沿って昇降可能に配置される。
【００３４】
昇降案内手段４０は、差込孔１３からワイヤレスマイクロホン１００のグリップ部１１０が外されている非充電時には、図５に示すように、給電側端子ピン２１がピン挿通孔３１内に埋没するようにピン保護部品３０を上昇位置に移動させて、その位置に拘束（ロック）する。
【００３５】
差込孔１３内にグリップ部１１０が差し込まれる充電時には、上昇位置での拘束を解いて、図６（ａ）（ｂ）に示すように、給電側端子ピン２１の先端がピン挿通孔３１から突出するようにピン保護部品３０を下降位置に移動可能とする。
【００３６】
そのため、昇降案内手段４０は、ピン保護部品３０の周りに配置されるガイドアーム４１を備えている。昇降案内手段４０は、ピン保護部品３０の片側にのみ配置されてもよいが、この実施形態において、昇降案内手段４０は、ピン保護部品３０を挟んでその両側に左右一対（４０Ｌ，４０Ｒ）として配置されている。
【００３７】
昇降案内手段４０Ｌ，４０Ｒは、それぞれ、ガイドアーム４１Ｌ，４１Ｒを備えているが、左右対称に配置されるほかは同一構成であるため、区別する必要がない場合には、ガイドアーム４１として説明する。
【００３８】
ガイドアーム４１は、上端にほぼ水平な回転軸４２を有するとともに、下端にピン保護部品３０を昇降させる傾斜面（第１傾斜面）４４を有する脚部４３を備えている。
【００３９】
また、ガイドアーム４１は、差込孔１３に出没可能な突起４５を好ましくはガイドアーム４１の中間位置（上端と下端の間）に備えている。図５に示すように、差込孔１３には、突起４５を出没可能とする開口１４が形成されている。
【００４０】
ガイドアーム４１は、支持フレーム５０によってピン保護部品３０の左右両側に配置される。支持フレーム５０は、基枠５１と、基枠５１の両側に立設された側枠５２（５２Ｌ，５２Ｒ）とを備えている。
【００４１】
基枠５１の中央部分には、ピン保護部品３０の第１筒部３０１が嵌合可能な開口部５０１が形成されている。側枠５２Ｌ，５２Ｒは、ガイドアーム４１を収納し得る横断面がコ字状の枠体で、それらの開口面が向かい合わせとなるように配置されている。
【００４２】
側枠５２Ｌ，５２Ｒの上端には、図３に示すように、支持フレーム５０を上箱部１２の所定部位にネジ止めするための係止部５２２が設けられている。また、側枠５２Ｌ，５２Ｒの上端には、ガイドアーム４１の回転軸４２を軸支するための半円状の軸受溝５２１が形成されている。
【００４３】
これに対して、上箱部１２側には、支持フレーム５０を上箱部１２の所定部位にネジ止めする際、上記軸受溝５２１との間でガイドアーム４１の回転軸４２を挟み込む半円状の軸受溝１５１を有するリブ１５２が設けられている（図３参照）。すなわち、軸受溝１５１と軸受溝５２１とにより、回転軸４２を軸支する軸受孔が形成される。
【００４４】
このようにして、ガイドアーム４１は、回転軸４２を中心として支持フレーム５０の側枠５２（５２Ｌ，５２Ｒ）内に、脚部４３がピン保護部品３０に接近・離反するように回転（揺動）可能に収納される。
【００４５】
また、昇降案内手段４０は、ガイドアーム４１を脚部４３がピン保護部品３０側に接近するように付勢する付勢手段を備えている。図５を参照して、この実施形態では、その付勢手段としてトーションばね４７が用いられている。
【００４６】
トーションばね４７は、回転軸４２に嵌装されるコイル部分４７１を有し、コイル部分４７１から引き出された一端（上端）４７２が上箱部１２の所定部位に係止され、コイル部分４７１から引き出された他端（下端）４７３が脚部４３側に係止され、常時、脚部４３をピン保護部品３０側に接近するように付勢している。
【００４７】
なお、図示しないが、トーションばね４７に代えて、支持フレーム５０の側枠５２の内面とガイドアーム４１の背面との間に圧縮スプリングや板バネを配置して、ガイドアーム４１をピン保護部品３０側に接近するように付勢してもよい。
【００４８】
ガイドアーム４１の脚部４３は、ガイドアーム４１の下端部からピン保護部品３０側に向けて突出するＬ字状に形成されている。傾斜面４４は、ガイドアーム４１から脚部４３の先端側に向けて下り勾配（差込孔１３の上方から見て順テーパ方向となる下り勾配）となるように脚部４３の上面側に形成されている。
【００４９】
ピン保護部品３０は、差込孔１３内において、フランジ３３が脚部４３の傾斜面４４上を摺動するように配置されるが、傾斜面４４の上端には、フランジ３３が乗り上がる水平面４４１が連設されている（図４，５参照）。
【００５０】
また、差込孔１３に出没する突起４５の先端部には、ワイヤレスマイクロホン１００のグリップ部１１０の差込孔１３内への差し込み方向に対して順テーパ方向となる傾斜面（第２傾斜面）４６が形成されている。
【００５１】
差込孔１３からワイヤレスマイクロホン１００のグリップ部１１０が外されている非充電時には、図５に示すように、左右のガイドアーム４１Ｌ，４１Ｒがトーションばね４７により互いに接近する方向に付勢される。これに伴って、突起４５Ｌ，４５Ｒも開口１４を通して差込孔１３内に突出する。
【００５２】
これにより、給電側端子ピン２１の先端がピン保護部品３０のピン挿通孔３１内に没する位置にまで、ピン保護部品３０がフランジ３３を介してガイドアーム４１Ｌ，４１Ｒの傾斜面４４Ｌ，４４Ｒにより上方に持ち上げられる。これにより、給電側端子ピン２１が外部衝撃等から保護される。
【００５３】
この上昇位置において、フランジ３３は、傾斜面４４Ｌ，４４Ｒの上端に連設されている水平面４４１Ｌ，４４１Ｒに乗り上がるため、ピン保護部品３０は上昇位置に確実に拘束（ロック）される。
【００５４】
次に、図６（ａ）（ｂ）を参照して、充電のため、ワイヤレスマイクロホン１００のグリップ部１１０が差込孔１３内に差し込まれると、突起４５Ｌ，４５Ｒがグリップ部１１０に当接して押し戻されるため、ガイドアーム４１Ｌ，４１Ｒがトーションばね４７の付勢力に抗して回転軸４２Ｌ，４２Ｒを中心として互いに離れる方向に開く。
【００５５】
これにより、ピン保護部品３０のフランジ３３は、水平面４４１Ｌ，４４１Ｒから外されて上昇位置での拘束が解かれ、ピン保護部品３０は、自重によって傾斜面４４に沿って下降する。なお、フランジ３３と傾斜面４４との間で発生する摺動摩擦力によっては、ピン保護部品３０をグリップ部１１０の押し込み力によって傾斜面４４に沿って下降するようにしてもよい。
【００５６】
いずれにしても、図６（ｂ）に示すように、ピン保護部品３０は、給電側端子ピン２１の先端がピン挿通孔３１から突出する下降位置にまで移動し、給電側端子ピン２１とマイク側端子１４０とが接触し充電が行われる。
【００５７】
充電が終了して、差込孔１３からグリップ部１１０が引き抜かれ、突起４５Ｌ，４５Ｒに対する拘束が解かれると、ガイドアーム４１Ｌ，４１Ｒがトーションばね４７の付勢力によって回転軸４２Ｌ，４２Ｒを中心として互いに接近する方向に回転する。
【００５８】
これにより、ピン保護部品３０のフランジ３３がガイドアーム４１Ｌ，４１Ｒの傾斜面４４Ｌ，４４Ｒ上をせり上がって、図５に示すように、水平面４４１Ｌ，４４１Ｒに至る上昇位置にまで持ち上げられる。
【００５９】
上記のようにして、給電側端子ピン２１は、非充電時にはピン保護部品３０のピン挿通孔３１内に埋没し、充電時にのみピン保護部品３０のピン挿通孔３１から突出する。これにより、給電側端子ピン２１が保護されるのであるが、マイク側端子１４０を正しい位置でのみ給電側端子ピン２１に接触させる必要がある。
【００６０】
すなわち、誤接触を防止するため、充電端子１４１，１４２と給電側端子ピン２１１，２１２とが接触し、電池コモン電極端子１４３と給電側コモン端子ピン２１３とが接触し、また、ＯＮ／ＯＦＦ制御端子１４４とＯＮ／ＯＦＦ制御端子ピン２１４とが接触できるようにする必要がある。
【００６１】
そのため、この実施形態では、図７（ａ）に示すように、ピン保護部品３０の案内孔３２と、ワイヤレスマイクロホン１００のアンテナカバー１３２を、それらの横断面が上辺と下辺が若干外側に膨らんだ異形の台形状としている。
【００６２】
このような形状とすることにより、特定の回転位置（グリップ部１１０の軸線を中心とする回転位置）でのみアンテナカバー１３２を案内孔３２内に挿通可能とし、グリップ部１１０を突起４５Ｌ，４５Ｒを押し戻す位置にまで差し込むことができるようにしている。
【００６３】
これに対して、アンテナカバー１３２を図７（ａ）に示す位置から例えば１８０゜回転させた状態では、アンテナカバー１３２を案内孔３２内に挿通できない。これにより、グリップ部１１０によって突起４５Ｌ，４５Ｒを押し戻せないため、ピン保護部品３０を下降位置にまで押し下げることができない。
【００６４】
別の例として、図７（ｂ）に示すように、案内孔３２とアンテナカバー１３２を、それらの横断面がともに円形とし、案内孔３２にはその内面の一部にキー３２１を設ける。一方、アンテナカバー１３２側にはキー３２１と係合するキー溝１３３を形成して、キー３２１とキー溝１３３とが合致する特定の回転位置でのみ、アンテナカバー１３２を案内孔３２内に挿通し得るようにしてもよい。
【００６５】
なお、上記実施形態では、グリップ部１１０の底面に送信部１３０が突設されたワイヤレスマイクロホン１００を充電対象としているが、本発明の充電器は、送信部の有無を問わず、少なくともグリップ部１１０の底面に充電端子を有するマイクロホンであれば適用可能である。
【００６６】
一例として、グリップ部１１０の下部と案内孔３２とを、図７（ａ）（ｂ）に示す形状の組合せとして、特定の回転位置でのみ、グリップ部１１０の一部分を案内孔３２内に挿通し得るようにしてもよく、このような態様も本発明に含まれる。また、二次電池を内蔵する有線のマイクロホンにも適用される。
【００６７】
以上説明したように、本発明によれば、マイクロホンのグリップ部１１０が差込孔３２から外されている非充電時には、ピン保護部品３０が上昇位置に拘束（ロック）され、給電側端子ピン２１がピン保護部品３０のピン挿通孔３１内に埋没しており、マイクロホンのグリップ部１１０が差込孔３２内に差し込まれる充電時には、グリップ部１１０の差し込みによってピン保護部品３０の拘束が解かれてピン保護部品３０が下降し、給電側端子ピン２１の先端がピン挿通孔３１から突出するようにしたことにより、給電側端子ピン２１を外部衝撃等から保護することができる。
【００６８】
また、本発明の充電器１は、グリップ部１１０の底面に充電端子１４１，１４２を備えているマイクロホンに適用可能であり、ピン保護部品３０はグリップ部１１０の一部分が挿通される案内孔３２を有し、グリップ部１１０の外形と案内孔３２の孔形は、充電端子１４１，１４２と給電側端子ピン２１１，２１２とが対向するグリップ部１１０の特定回転位置でのみ合致する形状で、その特定回転位置でのみグリップ部１１０の一部分を差込孔３２内に差し込み可能であることから、マイク側の充電端子１４１，１４２を正しい位置でのみ給電側端子ピン２１１，２１２に接触させることができる。
【符号の説明】
【００６９】
１  充電器
１０  筐体
１３  差込孔
２０  ピン支持台
２１（２１１〜２１４）  給電側端子ピン
３０  ピン保護部品
３０１  第１筒部
３０２  第２筒部
３１（３１１〜３１４）  ピン挿通孔
３２  案内孔
３３  フランジ
４０（４０Ｌ，４０Ｒ）  昇降案内手段
４１（４１Ｌ，４１Ｒ）  ガイドアーム
４２（４２Ｌ，４２Ｒ）  回転軸
４３（４３Ｌ，４３Ｒ）  脚部
４４（４４Ｌ，４４Ｒ）  第１傾斜面
４５（４５Ｌ，４５Ｒ）  突起
４６（４６Ｌ，４６Ｒ）  第２傾斜面
４７  トーションばね
５０  支持フレーム
５２１  軸受溝
１００  ワイヤレスマイクロホン
１１０  グリップ部
１２０  マイクロホンユニット
１３０  送信部
１３１  送信アンテナ
１３２  アンテナカバー
１４０（１４１〜１４４）  マイク側端子
【図１】
2019071741.tif 000003
【図２】
2019071741.tif 000004
【図３】
2019071741.tif 000005
【図４】
2019071741.tif 000006
【図５】
2019071741.tif 000007
【図６】
2019071741.tif 000008
【図７】
2019071741.tif 000009
【図８】
2019071741.tif 000010
【図９】
2019071741.tif 000011